(57)【要約】【課題】操作パネルを含む回転体に金属製の化粧パネルが装着された構造の加熱調理器において、化粧パネルの帯電対策を、シンプルな構造で効果的に行う。【解決手段】加熱調理器は、操作ユニット３を具備する。操作ユニット３は、回転体４、フレーム５、カバー部６、及びばね部材７を備える。回転体４は、調理器本体１での加熱調理を操作するための操作パネルを含む。フレーム５は、回転体４を前後に回転自在に支持する。カバー部６は、回転体４の前部を覆うように回転体４に装着される。ばね部材７は、回転体４に対して前方への付勢力を与える。カバー部６は、絶縁性のカバー本体６１と、カバー本体６１の前面を覆う金属製の化粧パネル６２を含む。ばね部材７は、化粧パネル６２に当たって化粧パネル６２の除電を行う第一当接部７１１と、カバー本体６１に当たることで回転体４に付勢力を与える第二当接部７１２を有する。【選択図】図５
2020030021.tif 000002
【特許請求の範囲】
【請求項１】
調理器本体と、
前記調理器本体に装着される操作ユニットと、を具備し、
前記操作ユニットは、
前記調理器本体での加熱調理を操作するための操作パネルを含む回転体と、
前記回転体を前後に回転自在に支持するフレームと、
前記回転体の前部を覆うように前記回転体に装着されるカバー部と、
前記回転体に対して前方への付勢力を与える金属製のばね部材を備え、
前記カバー部は、絶縁性のカバー本体と、前記カバー本体の前面を覆う金属製の化粧パネルを含み、
前記ばね部材は、前記化粧パネルに当たって前記化粧パネルの除電を行う第一当接部と、前記カバー本体に当たることで前記回転体に前記付勢力を与える第二当接部を有する
ことを特徴とする加熱調理器。
【請求項２】
前記ばね部材は、螺旋状のコイルと、前記コイルの一端から延出したアームを含み、
前記アームの別々の箇所に、前記第一当接部と前記第二当接部が設けられている
ことを特徴とする請求項１の加熱調理器。
【請求項３】
前記アームにおける前記第二当接部の位置は、前記第一当接部よりも前記コイルから延出した位置である
ことを特徴とする請求項２の加熱調理器。
【請求項４】
前記調理器本体と前記フレームの間に介在する金属製の筐体を、更に具備し、
前記ばね部材は、前記コイルのうち前記アームとは反対側の端から延出した第二アームを、更に含み、
前記第二アームは、前記筐体に当たることで、前記筐体に対して電気的に接続する
ことを特徴とする請求項２又は３の加熱調理器。
【請求項５】
前記カバー本体は、前記第一当接部が後方から挿し込まれる窓部を有する
ことを特徴とする請求項１から４のいずれか一項の加熱調理器。
【請求項６】
前記化粧パネルは、金属製のパネル本体と、前記パネル本体の後面に設けられた導電性パッキンを含み、
前記カバー本体は、前記導電性パッキンが前方から挿し込まれる窓部を有する
ことを特徴とする請求項１から４のいずれか一項の加熱調理器。
【発明の詳細な説明】
【技術分野】
【０００１】
本発明は、加熱調理器に関し、詳しくは、操作パネルが前後に回転移動するように設けられた加熱調理器に関する。
【背景技術】
【０００２】
ガス焜炉等の加熱調理器において、いわゆるカンガルーポケット式の操作パネルを備えたものが、従来知られている。この種の加熱調理器では、操作パネルを含んだ回転体を、調理器本体に前後回転自在に支持することで、操作パネルを前後に出し入れ自在としている。
【０００３】
回転体には、その前部を覆うように金属製の化粧パネルが装着されている。この化粧パネルが静電気等の影響で帯電していると、操作パネルの作動や表示にトラブルを生じる虞がある。
【０００４】
特許文献１に記載された加熱調理器では、化粧パネルの帯電対策として、回転体を支持するシャフトを金属材料で成形し、この金属製のシャフトに対してＬ字型の導通子を電気接続させ、シャフトと導通子を通じて化粧パネルの除電を行っている。
【先行技術文献】
【特許文献】
【０００５】
【特許文献１】特開２０１３−４４４５３号公報
【発明の概要】
【発明が解決しようとする課題】
【０００６】
上述した従来の帯電対策では、回転体を支持するために金属製のシャフトを用意してこれを組み付け、かつ導通子を更に備える必要があるので、構造のシンプル化、組立作業の効率化を図るには不利であった。
【０００７】
本発明は、操作パネルを含む回転体に金属製の化粧パネルが装着された構造の加熱調理器において、化粧パネルの帯電対策を、シンプルな構造で効果的に行うことを目的とする。
【課題を解決するための手段】
【０００８】
本発明の一態様に係る加熱調理器は、調理器本体と、前記調理器本体に装着される操作ユニットと、を具備する。
【０００９】
前記操作ユニットは、前記調理器本体での加熱調理を操作するための操作パネルを含む回転体と、前記回転体を前後に回転自在に支持するフレームと、前記回転体の前部を覆うように前記回転体に装着されるカバー部と、前記回転体に対して前方への付勢力を与える金属製のばね部材を備える。
【００１０】
前記カバー部は、絶縁性のカバー本体と、前記カバー本体の前面を覆う金属製の化粧パネルを含む。前記ばね部材は、前記化粧パネルに当たって前記化粧パネルの除電を行う第一当接部と、前記カバー本体に当たることで前記回転体に前記付勢力を与える第二当接部を有する。
【発明の効果】
【００１１】
本発明は、操作パネルを含む回転体に金属製の化粧パネルが装着された構造の加熱調理器において、化粧パネルの帯電対策を、シンプルな構造で効果的に行うことができるという効果を奏する。
【図面の簡単な説明】
【００１２】
【図１】図１は、一実施形態の加熱調理器の正面図である。
【図２】図２は、図１のＡ−Ａ線断面図である。
【図３】図３は、同上の加熱調理器が備える操作ユニットの斜視図である。
【図４】図４は、同上の操作ユニットの別の斜視図である。
【図５】図５は、同上の操作ユニットの分解斜視図である。
【図６】図６は、同上の操作ユニットの要部斜視図である。
【図７】図７は、同上の操作ユニットに装着される筐体の斜視図である。
【発明を実施するための形態】
【００１３】
（加熱調理器）
図１には、一実施形態の加熱調理器の全体を示している。一実施形態の加熱調理器は、ビルトイン式のグリル付きガス焜炉であり、キッチンキャビネットに組み込まれる調理器本体１と、調理器本体１に設けられた加熱部１２と、調理器本体１に設けられた複数の（一実施形態では二つの）操作ユニット３を備える。
【００１４】
加熱部１２は、複数の（一実施形態では三つの）焜炉バーナー１３と、グリル部１４を含む。三つの焜炉バーナー１３は、調理器本体１のトッププレート１１に、互いに距離をあけて配置されている。
【００１５】
グリル部１４は、グリル庫１４１と、グリル扉１４３を備えている。グリル庫１４１は、調理器本体１の前面において開口するように形成されている。グリル扉１４３は、調理器本体１の前面において、グリル庫１４１の開口部分を開閉する。
【００１６】
本文中においては、調理器本体１に対して、ユーザーが位置する方向を前方向、これの逆方向を後方向と定義する。左右方向については、調理器本体１を利用するユーザーの視点を基準として、左方向と右方向を定義する。
【００１７】
調理器本体１の前面において、グリル扉１４３を挟んだ左右の両側に、操作ユニット３が設置されている。左側の操作ユニット３と、右側の操作ユニット３は、基本的に共通の構造を有する。
【００１８】
左右の操作ユニット３の各々において、その下半部には、操作パネル４００（図４等参照）を含む回転体４が設けられている。回転体４は、操作パネル４００が必要でないときには、操作パネル４００が調理器本体１に隠れるように、その全体を後方に退避させておくことができる。回転体４は、操作パネル４００が必要なときには、その全体を前方に回転移動させて、操作パネル４００をユーザー側に露出させることができる。
【００１９】
操作パネル４００には、各種のボタンが配置されている。これらのボタンを用いて、加熱部１２での加熱調理の設定を行うことが可能である。加熱調理の設定は、例えば、各焜炉バーナー１３の加熱モード（おかゆモード、ご飯モード、湯沸しモード等）の設定、グリル庫１４１に備えられたグリルバーナーの加熱モード（姿焼モード、切身モード、干物モード等）の設定である。
【００２０】
（操作ユニット）
操作ユニット３の具体的な構造について、説明する。
【００２１】
上述したように、左右の操作ユニット３は基本的に共通の構造を有するので、以下においては、左側の操作ユニット３に基づいて、操作ユニット３の具体的な構造を説明する。
【００２２】
図２から図６には、左側の操作ユニット３の全体又は要部を示している。図５等に示すように、操作ユニット３は、回転体４、フレーム５、カバー部６、及びばね部材７を備える。操作ユニット３は、図７に示すような金属製の筐体２を介して、調理器本体１に組み込まれる。
【００２３】
回転体４は、その上面に操作パネル４００が構成された平板状の頂板部４１（図４参照）と、頂板部４１の左右の両端縁部から下方に延長された一対の側板部４２（図５参照）を備える。一対の側板部４２の各々の下端部には、連結部４３が形成されている。回転体４を構成する頂板部４１、一対の側板部４２、及び一対の連結部４３は、合成樹脂を用いて一体に成形されている。
【００２４】
フレーム５は、矩形枠状の筐体２を介して、調理器本体１の前部に組み付けられる。フレーム５は、矩形枠状の外形を有するように合成樹脂を用いて成形されている。フレーム５は、左右の側壁５１と、左右の側壁５１の下部同士をつなぐ底壁５２を備える。
【００２５】
底壁５２の前端部分には、回転体４とカバー部６を回転自在に取り付けるための支軸部５３と、ばね部材７を取り付けるための突起部５５が、形成されている（図５参照）。
【００２６】
支軸部５３は、合成樹脂製の左右の支軸５３１を含む。左右の支軸５３１は、底壁５２の前端部のうち、左右方向の両端部分に形成されている。
【００２７】
左右の支軸５３１に対して、回転体４が有する左右の連結部４３が回転自在に嵌ることで、回転体４が中心軸Ｃ１まわりに回転自在に支持される。中心軸Ｃ１は、左右に伸びる仮想的な軸である。
【００２８】
同様に、左右の支軸５３１に対して、カバー部６が有する左右の連結部６３（図６参照）が回転自在に嵌ることで、カバー部６が中心軸Ｃ１まわりに回転自在に支持される。
【００２９】
ばね部材７を取り付けるための突起部５５は、底壁５２の前端部のうち左右方向の中央部分に、合成樹脂を用いて一体に成形されている。
【００３０】
次に、ばね部材７について説明する。
【００３１】
ばね部材７は、螺旋状のコイル７０を含む。コイル７０は、フレーム５の突起部５５に対して、左右に伸びる中心軸Ｃ１まわり回転自在に嵌め込まれる。
【００３２】
コイル７０が突起部５５に嵌め込まれた状態で、コイル７０の左右両端のうち一端から延出されたアーム７１が、カバー部６の後面に当たり、コイル７０の他端（即ちアーム７１とは反対側の端）から延長されたアーム７２が、底壁５２の上面に当たる。
【００３３】
この状態で、ばね部材７は、カバー部６とこれに連結された回転体４に対して、前方（開方向）への付勢力を与える。ばね部材７がカバー部６に与える付勢力によって、カバー部６と回転体４は、前方に向けて一体に回転する。
【００３４】
以下においては、一対のアーム７１，７２をより明確に区別するため、アーム７１を第一アーム７１と称し、アーム７２を第二アーム７２と称する。ばね部材７に含まれるコイル７０、第一アーム７１、及び第二アーム７２は、いずれも弾性を有する。
【００３５】
第一アーム７１は、コイル７０から延出した途中の部分に、屈曲部７１ａを有する。屈曲部７１ａは、カバー部６に向けて突出するように、Ｕ字状に屈曲している。回転体４が後方に退避した状態において、屈曲部７１ａは、前方に向けて突出する。屈曲部７１ａのうち最も前方に突出した部分が、除電用の第一当接部７１１を構成する。
【００３６】
第一アーム７１のうち、屈曲部７１ａよりもコイル７０に近い側の部分７１ｂと、屈曲部７１ａよりもコイル７０から離れた側の部分７１ｃは、いずれも直線状に形成されている。両部分７１ｂ，７１ｃは、同一直線上に位置している。
【００３７】
回転体４が後方に退避した状態において、屈曲部７１ａから更に上方に（より具体的には斜め後ろ上方に）延出した部分７１ｃの一部が、第二当接部７１２を構成する。第二当接部７１２は、カバー部６と回転体４に前方への付勢力を与える部分である。
【００３８】
第二アーム７２は、コイル７０から延出した途中の部分に、クランク状の屈曲部７２ａを有する。底壁５２の前端部には、上下に貫通する開口部５８が、平面視において前後に長く形成されている（図５参照）。
【００３９】
第二アーム７２の屈曲部７２ａは、底壁５２の開口部５８を通じて、底壁５２の下方に突出する（図２、図５参照）。下方に突出した屈曲部７２ａは、筐体２の下部を構成する金属製の下枠部分２１（図７参照）に対して、弾性的に接触する。これにより、第二アーム７２と筐体２は電気的に接続される。
【００４０】
第二アーム７２は、その延長方向の先端部分に、直線状の当接部７２１を有する。当接部７２１は、屈曲部７２ａが開口部５８を通じて下方に突出した状態で、底壁５２の上面に当たるように形成されている。
【００４１】
次に、カバー部６について説明する。
【００４２】
カバー部６は、回転体４の前部開口を覆って蓋をするように、回転体４に装着される。回転体４がその回転範囲のうち最も後方に位置するとき、カバー部６は鉛直方向に起立した姿勢で、操作ユニット３の前面を構成する。
【００４３】
カバー部６は、合成樹脂製のカバー本体６１によってその主体が構成されている。カバー本体６１には、カバー本体６１の前面を隠すように金属製の化粧パネル６２が装着される。カバー本体６１が絶縁性のパネルであるのに対して、化粧パネル６２は導電性のパネルである。
【００４４】
カバー本体６１は、回転体４に装着される合成樹脂製の内カバー６１ａと、内カバー６１ａの前面を覆うように回転体４に装着される合成樹脂製の外カバー６１ｂを含む。
【００４５】
内カバー６１ａの下端部には、左右の内側連結部６３ａが形成されている。左右の内側連結部６３ａは、フレーム５の左右の支軸５３１に対して回転自在に嵌るように形成されている。内カバー６１ａの上端部には、左右の係止部６１２ａが形成されている。左右の係止部６１２ａは、回転体４に対して着脱自在に係止するように形成されている。
【００４６】
更に、内カバー６１ａの後面には、第一アーム７１が引っ掛かる突出部６１３と、フレーム５に設けられたキャッチ機構５４（図５参照）に着脱自在に係合するストライク６１４が、一体に形成されている。突出部６１３は、Ｖ字状の溝を有する。第一アーム７１の先端側の部分７１ｃのうち、突出部６１３の溝に嵌り込む部分が、第二当接部７１２である。
【００４７】
更に、内カバー６１ａには、突出部６１３の下側の箇所に、窓６１５ａが形成されている（図５参照）。窓６１５ａは、内カバー６１ａをその厚み方向に貫通している。窓６１５ａは、上下に長く形成されている。窓６１５ａには、その後方から第一アーム７１の屈曲部７１ａ（第一当接部７１１）が挿し込まれる。
【００４８】
外カバー６１ｂの下端部には、左右の外側連結部６３ｂが形成されている（図６参照）。左右の外側連結部６３ｂは、フレーム５の左右の支軸５３１に回転自在に嵌るように形成されている。カバー部６の左右の連結部６３は、内側連結部６３ａと外側連結部６３ｂで構成される。
【００４９】
外カバー６１ｂの上側半部には、左右の係止部６１２ｂが形成されている。左右の係止部６１２ｂは、回転体４に対して着脱自在に係止する。
【００５０】
更に、外カバー６１ｂには、正面視において内カバー６１ａの窓６１５ａと重なる箇所に、窓６１５ｂが形成されている（図５参照）。窓６１５ｂは、外カバー６１ｂをその厚み方向に貫通している。窓６１５ｂは、左右に長く形成されている。
【００５１】
窓６１５ｂには、その後方から第一アーム７１の屈曲部７１ａ（第一当接部７１１）が挿し込まれる。つまり、内カバー６１ａの窓６１５ａと、外カバー６１ｂの窓６１５ｂとで、カバー本体６１の窓部６１５が構成される。窓部６１５は、第一当接部７１１が後方から挿し込まれる部分である。
【００５２】
化粧パネル６２は、金属製のパネル本体６２０と、パネル本体６２０の後面に設けられた導電性パッキン６２５を含む。導電性パッキン６２５は、パネル本体６２０に対して電気的に接続されている。導電性パッキン６２５は、外カバー６１ｂの窓６１５ｂに対して前方から嵌め込まれるように、左右に長く形成されている。
【００５３】
上記の構成を備える一実施形態の加熱調理器では、ばね部材７の第一アーム７１のうち、第一当接部７１１よりも先端側に位置する第二当接部７１２が、絶縁性のカバー本体６１に押し当たることで、カバー部６と回転体４に、前方に向けて回転する付勢力を与える。
【００５４】
加えて、第一アーム７１のうち、第二当接部７１２よりも基端側に位置する第一当接部７１１が、導電性パッキン６２５に当たることで、化粧パネル６２とばね部材７を電気的に接続させる。
【００５５】
前述したように、ばね部材７の第二アーム７２は筐体２の下部に押し当たり、筐体２に対して電気的に接続される。したがって、化粧パネル６２は、導電性のばね部材７を介して、筐体２に対して電気的に接続される。これにより、化粧パネル６２の除電が実現される。
【００５６】
したがって、一実施形態の加熱調理器では、従来技術のように、化粧パネル６２の除電経路を形成するために金属製のシャフトを備える必要がなく、また、従来技術のようにＬ字型の導通子をカバー部６に組み込む必要がない。一実施形態の加熱調理器において、回転体４とカバー部６を回転自在に支持する支軸部５３は、合成樹脂によってフレーム５と一体に成形されているので、部品点数を抑えることが可能である。
【００５７】
加えて、一実施形態の加熱調理器では、第一当接部７１１が、第一アーム７１のうちコイル７０につながる基端部と、カバー部６に当たる第二当接部７１２との間に位置する。そのため、一実施形態の加熱調理器では、第一当接部７１１が化粧パネル６２に押し当たる圧力を、適切な範囲内に管理することが容易である。ここでの適切な範囲とは、第一当接部７１１と化粧パネル６２の電気的な接続を確保することができ、かつ、第一当接部７１１の押し込みにより化粧パネル６２が変形することを抑えることができる範囲である。
【００５８】
（作用効果）
以上、添付図面に基づいて説明したように、一実施形態の加熱調理器は、第１の特徴として以下の構成を備える。一実施形態の加熱調理器は、調理器本体１と、調理器本体１に装着される操作ユニット３を具備する。操作ユニット３は、回転体４と、フレーム５と、カバー部６と、金属製のばね部材７を備える。回転体４は、調理器本体１での加熱調理を操作するための操作パネル４００を含む。フレーム５は、回転体４を前後に回転自在に支持する。カバー部６は、回転体４の前部を覆うように回転体４に装着される。ばね部材７は、回転体４に対して前方への付勢力を与える。カバー部６は、絶縁性のカバー本体６１と、カバー本体６１の前面を覆う金属製の化粧パネル６２を含む。ばね部材７は、化粧パネル６２に当たって化粧パネル６２の除電を行う第一当接部７１１と、カバー本体６１に当たることで回転体４に付勢力を与える第二当接部７１２を有する。
【００５９】
したがって、一実施形態の加熱調理器では、ばね部材７を用いて回転体４を前方に付勢することに加えて、ばね部材７を用いたシンプルな構造で、化粧パネル６２の除電を行うことができる。しかも、一実施形態の加熱調理器では、ばね部材７の弾性を利用して、第一当接部７１１と化粧パネル６２の接触圧を確保することができ、化粧パネル６２の除電を安定的に行うことが可能である。
【００６０】
一実施形態の加熱調理器は、第２の特徴として、第１の特徴に加えて以下の構成を備える。一実施形態の加熱調理器において、ばね部材７は、螺旋状のコイル７０と、コイル７０の一端から延出したアーム７１を含む。アーム７１の別々の箇所に、第一当接部７１１と第二当接部７１２が設けられている。
【００６１】
したがって、一実施形態の加熱調理器では、コイル７０とアーム７１の弾性を利用して、カバー本体６１に対して前方への付勢力を加えることができ、かつ、アーム７１の一部（第一当接部７１１）と化粧パネル６２の当接を利用して化粧パネル６２の除電を行うことができる。
【００６２】
一実施形態の加熱調理器は、第３の特徴として、第２の特徴に加えて以下の構成を備える。一実施形態の加熱調理器では、アーム７１における第二当接部７１２の位置は、第一当接部７１１よりもコイル７０から延出した位置である。
【００６３】
したがって、一実施形態の加熱調理器では、コイル７０とアーム７１の弾性を利用して、カバー本体６１に対して十分な付勢力を加えることができる。しかも、第一当接部７１１は、アーム７１のうち第二当接部７１２とコイル７０の間に位置するので、第一当接部７１１が化粧パネル６２に押し当たる圧力を、適度な圧力（化粧パネル６２との電気的接続を確保し、かつ化粧パネル６２が変形することは抑えることができる圧力）に保つことが容易である。
【００６４】
一実施形態の加熱調理器は、第４の特徴として、第２又は第３特徴に加えて、以下の構成を備える。一実施形態の加熱調理器は、調理器本体１とフレーム５の間に介在する金属製の筐体２を、更に具備する。ばね部材７は、コイル７０のうちアーム７１とは反対側の端から延出した第二アーム７２を、更に含む。第二アーム７２は、筐体２０に当たることで、筐体２に対して電気的に接続する。
【００６５】
したがって、一実施形態の加熱調理器では、ばね部材７のアーム７１に加えて第二アーム７２を利用して、化粧パネル６２の除電を安定的に行うことができる。
【００６６】
一実施形態の加熱調理器は、第５の特徴として、第１から第４のいずれか一つの特徴に加えて、以下の構成を備える。一実施形態の加熱調理器において、カバー本体６１は、第一当接部７１１が後方から挿し込まれる窓部６１５を有する。
【００６７】
したがって、一実施形態の加熱調理器では、ばね部材７と化粧パネル６２の電気的な接続を、窓部６１５を通じて実現することができる。
【００６８】
一実施形態の加熱調理器は、第６の特徴として、第１から第４のいずれか一つの特徴に加えて、以下の構成を備える。一実施形態の加熱調理器において、化粧パネル６２は、金属製のパネル本体６２０と、パネル本体６２０の後面に設けられた導電性パッキン６２５を含む。カバー本体６１は、導電性パッキン６２５が前方から挿し込まれる窓部６１５を有する。
【００６９】
したがって、一実施形態の加熱調理器では、ばね部材７と化粧パネル６２の電気的な接続を、窓部６１５を通じた短い経路で実現することができ、しかも、窓部６１５を通じての水の浸入は、導電性パッキン６２５で防止することができる。
【００７０】
以上、加熱調理器について、添付図面に示す実施形態に基づいて説明したが、加熱調理器は前記した実施形態に限定されず、同様の作用効果を奏する範囲内であれば、適宜の設計変更を行うことや、公知の技術を組み合わせることが可能である。
【符号の説明】
【００７１】
１  調理器本体
２  筐体
３  操作ユニット
４００  操作パネル
４  回転体
５  フレーム
６  カバー部
６１  カバー本体
６１５  窓部
６２  化粧パネル
６２０  パネル本体
６２５  導電性パッキン
７  ばね部材
７０  コイル
７１  アーム（第一アーム）
７１１  第一当接部
７１２  第二当接部
７２  アーム（第二アーム）
【図１】
2020030021.tif 000003
【図２】
2020030021.tif 000004
【図３】
2020030021.tif 000005
【図４】
2020030021.tif 000006
【図５】
2020030021.tif 000007
【図６】
2020030021.tif 000008
【図７】
2020030021.tif 000009